(57)【要約】生物の臓器の動脈血の血液又は灌流充填の変化に関する情報を表示ユニットのユーザー面（１０）の上に提示するための方法であって、提示のために必要とされるデータである灌流指数を、アルゴリズムを用いて、血液の動脈血酸素飽和度を決定するための非侵襲的な光度計測プロセスの測定値から決定する。本発明は、最初の灌流指数を参照値として決定するステップと、後続の灌流指数を前記参照値に対する相対的偏差値として決定するステップと、相対的偏差値を、灌流の変化に関する情報として、アナログの図形要素（４２，４４）の形態で前記ユーザー面（１０）上に提示するステップとを有することを特徴とする。
2006502781.tif 000002
【特許請求の範囲】
【請求項１】
生物の臓器の動脈血液充填又は灌流の変化に関する情報を表示ユニットのユーザー面上に提示するための方法であり、
該提示のために必要とされるデータである灌流指数を、アルゴリズムを用いて、血液の動脈血酸素飽和度を決定するための非侵襲的な光度計測プロセスによって生成された測定値から決定する方法であって、
最初の灌流指数を参照値として決定するステップと、
後続の灌流指数を前記参照値に対する相対的偏差値として決定するステップと、
該相対的偏差値を、灌流の変化に関する情報として、前記ユーザー面上に提示するステップとを有することを特徴とする方法。
【請求項２】
前記参照値の決定は前記光度計測定プロセスの開始時に自動的に行われることを特徴とする請求項１に記載の方法。
【請求項３】
前記参照値の決定の瞬間は随意的に選択されることを特徴とする請求項１に記載の方法。
【請求項４】
前記参照値はメモリチップに保存されることを特徴とする請求項１乃至３に記載の方法。
【請求項５】
前記参照値及び前記後続の灌流指数はファクタによって測定されることを特徴とする上記請求項のうちいずれか１項に記載の方法。
【請求項６】
前記ファクタは調整可能であることを特徴とする請求項５に記載の方法。
【請求項７】
前記灌流の変化が数値の形態で提示されることを特徴とする上記請求項のうちいずれか１項に記載の方法。
【請求項８】
アナログの図形要素が前記提示のために用いられることを特徴とする上記請求項のうちいずれか1項に記載の方法。
【請求項９】
前記図形要素としてバー要素が用いられることを特徴とする請求項８に記載の方法。
【請求項１０】
前記灌流の前記相対的な変化が異なるバーの長さによって表示されることを特徴とする請求項９に記載の方法。
【請求項１１】
タコメータ表示と一致する表示が前記図形要素として用いられていることを特徴とする請求項８に記載の方法。
【請求項１２】
前記表示は、他の生理的変数と共に、多次元型として、特にスパイダー図として形成されていることを特徴とする請求項８に記載の方法。
【請求項１３】
アラーム限界値の上限及びアラーム限界値の下限が設けられていることを特徴とする上記請求項のうちいずれか１項に記載の方法。
【請求項１４】
前記アラーム限界値は調整可能であることを特徴とする請求項１３に記載の方法。
【請求項１５】
前記アラーム限界値を超過したときに、音響的又は光学的信号が始動することを特徴とする請求項１３及び１４に記載の方法。
【請求項１６】
特に上記請求項のうちいずれか１項に記載の方法と共に用いられる、光度計測定プロセスによって得られる測定値である信号の質を決定する方法であって、
該信号の質は、
飽和−独立灌流指数；
発信ファクタ；
迷光、ＥＭ放射線及びその類似物のような自然妨害の程度；
ＰＬＥＴＨ信号の形状；
アーチファクトの強度及び／又は期間；
の変数の１つ又はそれらの組み合わせによって決定されることを特徴とする方法。
【請求項１７】
光度計測定プロセスによって得られる測定値である信号の質を決定する方法であって、
該信号の質は、
飽和−独立灌流指数；
発信ファクタ；
迷光、ＥＭ放射線及びその類似物のような自然妨害の程度；
ＰＬＥＴＨ信号の形状；
アーチファクトの強度及び／又は期間；
の変数の１つ又はそれ以上と共に、１つ又はそれ以上の波長の変調ファクタ（ＡＣ／ＤＣ）によって決定されることを特徴とする方法。
【請求項１８】
光度計測定プロセス、特に請求項１６又は１７において請求されている光度計測定プロセスによって計測値である信号の質を計測する方法であって、
この情報は、アイコン及び／又は背景領域の異なる色付けによって、特に緑色は全て良好な質、黄色は疑わしい質、赤色は貧弱な質を示すことによって、ユーザー面の上に図形的に提示されることを特徴とする方法。
【請求項１９】
前記アイコンは、前記灌流の提示のために用いられる前記図形要素と同一であることであることを特徴とする請求項１８に記載の方法。
【請求項２０】
前記アイコンは、独立した図形要素、特に、セグメント状若しくはバー状の提示、色符号化された表面要素又は交通信号の形態に配置された円形要素であることを特徴とする請求項１８又は１９に記載の方法。
【請求項２１】
灌流の変化に関する情報を決定するよう、動脈血Ｏ２飽和度を決定し、且つ、灌流指数を計算するためのパルス酸素測定器と、干渉信号、特に、動作アーチファクトを検知し、且つ、得られた測定値の質、よって、灌流の変化に関する情報を推定するための手段と、該情報を提示する手段と、を有する前記方法を実施する装置。
【発明の詳細な説明】
【技術分野】
【０００１】
本発明は、請求項１に開示されているような、灌流の変化に関する情報の表示方法と、請求項１６乃至１８に開示されているような、光学測定プロセス中に得られる測定値の質（信号の質）の表示方法と、請求項２１に開示されているような、この方法を実施するための装置とに関する。
【背景技術】
【０００２】
既知のように、患者監視分野において、例えば、灌流、動脈血の酸素飽和度（ＳＰＯ２値）、心電図曲線及びそれらの類似物のような特別の患者データは、患者の状態を評価するために重要である。
【０００３】
灌流に関する情報は、通常の診療において、間接的にのみ得られる。このために、臨床スタッフは動脈血の酸素飽和度の測定の結果から得られる測定値に頼ることができる。
【０００４】
血液の動脈血酸素飽和度又は動脈血ヘモグロビンの計測は、光度計測定プロセス、即ち、所謂パルス酸素測定法(pulsoximetry)によって、非侵襲的な方法で継続的に遂行されるのが普通である。次に、人体の末梢部、通常は指がセンサによって放射される。センサは、光の放射のための２つの光源と、光吸収の計測をするための対応する受光器とを含むのが普通である。
【０００５】
パルス酸素測定法は２つの原理に基づいている。一方において、濃縮酸素ヘモグロビン（オキシヘモグロビン）及び低減酸素ヘモグロビン（デオキシヘモグロビン）は赤色及び赤外線光の吸収能力（分光測定法）に関して相違し、他方において、パルス（プレチスモグラフィー）中、組織内の動脈血の量が変化し、よって、動脈血による光吸収も変化する。パルス酸素測定法は、赤色及び赤外線光を放射し、且つ、パルス周期中の光吸収の変化を計測することによって、ＳＰＯ２値を決定する。
【０００６】
臨床スタッフは、灌流に関する情報に関して、血液の酸素飽和度、即ち、ＳＰＯ２値を数値の形態で提示されるが、臨床スタッフは、パルス酸素測定法の関連で提示されるプレチスモグラフィー曲線の解析に頼らなければならない。この曲線は、とりわけ、灌流によって引き起こされる人体部分の容量の変化も示す。
【０００７】
灌流は、例えば、麻酔の効果又はその類似物のような生理ファクタの変化を示すのに用いられる臨床的に関連するパラメータであるので、灌流に関するこのような情報の入手方法は極めて有害であることが分かった。
【０００８】
一方において、この情報はこの目的のために特別に表現されていない曲線から読み取られなければならないので、即ち、この情報は推定されなければならないので、読み取り精度は限定的であるのに対し、他方において、増幅は曲線の提示のために一定でなければならず、極めて低い灌流の場合には、曲線の形状を評価するのは実際上不可能である。さらに、プレチスモグラフィにおける曲線の振幅の変化は、人体部分、例えば、指に流れ込む血液の量だけでなく、酸素飽和度にも依存している。
【０００９】
米国特許第４，８６７，１６５号は、灌流が定量化され得る灌流の決定方法を開示している。このために、所謂灌流指数が、アルゴリズムによって、パルス酸素測定法の測定値から決定される。しかしながら、この方法は絶対値のみを算出するので、臨床スタッフによる灌流の変化は数値の継続的な観測及び比較によって検知されなければならず、それがこの方法の欠点であることが分っている。
【発明の開示】
【発明が解決しようとする課題】
【００１０】
灌流の変化に関する情報を提示する方法によってこの問題を軽減し、よって、上記の問題を回避すると同時に、この情報の読み取りを容易化するが本発明の目的である。
【課題を解決するための手段】
【００１１】
この目的は、方法に関しては、請求項１に開示されているように達成され、装置に関しては、請求項２１に開示されているように達成される。
【００１２】
本発明のさらなる機能は請求項１６乃至１８及び従属項に開示されている。
【００１３】
本発明は次の事実の認識に基づいている。即ち、自律的な図形要素によって提示された情報は、複数の曲線の解析又は幾つかの数値の比較によって引き出されるべき情報に比べより迅速かつ簡単に観測され得る。
【００１４】
本発明によれば、灌流の変化の図形提示のために求められる数値データ（灌流指数）は、アルゴリズムを用いて、光度計測定プロセスの測定値から継続的に決定される。最初の灌流指数が参照値として定められ、後続の灌流指数の相対的な偏差値がこの参照値との関係で決定される。これらの相対的偏差値は、アナログの図形要素によって、灌流の変化に関する情報として表示スクリーンのユーザー面上に表示される。
【００１５】
よって、灌流の相対的な変化を読み取ることは単純に可能であり、アナログの図形要素の形態で提示される。そのような表示は極めて有利である。何故ならば、臨床スタッフは灌流の変化に関する重要で常時使用状態にある情報を受け取るからである。プレスチモグラフィー曲線に基づく解析又は数値の継続的な観測及び比較による解析は最早不要である。さらに、プレスチモグラフィー曲線の提示の大きさを自動的に信号に順応させることが可能であり、よって、曲線の特性の解析が容易になる。
【００１６】
参照値は光度計測プロセスの開始段階で自動的に決定されるのが好ましい。
【００１７】
しかしながら、参照値を決定する瞬間は臨床スタッフによって随意に選択され得る。よって、参照値に対する負の効果、例えば、患者の一時的なショック状態又はその類似状態に起因する負の効果は、参照値を決定する瞬間の適切な選択によって排除され得ることが確実にされる。
【００１８】
柔軟性のために、例えば、異なる瞬間に決定された１人の患者の２つの参照値を比較するために、そのような値はメモリチップ上に保存され得る。
【００１９】
図形要素の大きさ、よって、灌流の変化に関する情報の提示の調整を可能とするために、参照値と同様に後続の灌流指数もファクタによって標準化され或いは計測され得る。
【００２０】
このファクタは個別に調整可能であるのが好ましい。個別の調製可能性の利点は、表示が、関連する状況に依存して、例えば動作中にも再調整され得ることであり、よって、灌流の変化に関する情報の最適な提示が常時確実にされる。
【００２１】
鮮明で、直ちに認識可能な情報の提示を確実にするために、灌流の変化に関する情報はバー要素の形態で提示される。
【００２２】
灌流の相対的変化はバーの異なる長さによって表示されるのが好ましい。相対的変化の表示のために異なるバーの長さを用いることは有利であることが分かった。何故ならば、臨床スタッフによる情報の変化の迅速な光学的及び直感的な認識を単純な方法で確実にするからである。
【００２３】
灌流の重大な変化の認識を容易にするために、上方アラーム限界値及び下方アラーム限界値が設けられており、それらの各々は独立して調整可能である。危機的な値に値に到達したとき、即ち、調整されたアラーム限界値を超過したとき、そのような事態は光学的及び／又は音響的な信号によって強調され得る。
【００２４】
光度計測定プロセス中に得られた測定値の質（信号の質）は、異なる色のアイコン又は背景領域によって、表示スクリーンのユーザー面の上に提示される。即ち、緑色は全て良好であることを示し、黄色は疑わしいことを示し、赤色は貧弱であることを示す。信号の質は、例えば、発信レベル、干渉レベル、アーチファクトレベル、信号波長、灌流指数又はこれらの類似物のような多様なパラメータの組み合わせの評価によって推定され得る。信号の質の追加的な提示は臨床スタッフにとって大変重要である。何故ならば、それによって、灌流の変化に関する情報の評価のみならず、パルス酸素計測法から得られる測定値の評価も可能となるからである。さらに、色付けは直感的な観測を確実にし、それは同様に表示された信号の質の解析を実質的に単純化する。
【００２５】
灌流の変化の提示及び信号の質の提示のために、同一の図形要素が用いられるのが好ましい。よって、灌流の変化の提示のために設けられたバー要素は同じ色に色付けられ得る。即ち、緑色は信号の質が良好であることを示し、黄色は低減された信号の質を示し、赤色は貧弱な信号の質を示す。この形態の提示は、信号の質の提示のためのアイコンが灌流の変化の提示のための図形要素と同一であり、有利であることが分かった。何故ならば、スペースを取らない表示形式が得られるからである。提示のためのさらなるスペースの節約は、例えば、バー要素の背景、プレチスモグラフィー曲線又は酸素飽和度のための数値表示の背景のような背景が、対応する色によって特徴付けられていることに存する。他の要素の色付け、例えば、プレチスモグラフィー曲線それ自体の色付けも実現可能である。
【００２６】
しかしながら、独立した図形要素として、特にセグメント又はバー表示として、色符号化された表面要素として、或いは、交通信号のように配置された３つの円形要素の形態でアイコンを提示することも可能である。
【００２７】
本方法を実施するための装置は、動脈血Ｏ２飽和度を決定するため及び灌流の変化に関する情報を決定するための灌流指数を計算するためのパルス酸素測定器と、干渉信号、特に、動作アーチファクトを検知し、得られた測定値、よって、灌流の変化に関する情報の質を推定する手段と、この情報を表示する手段とを含む。
【００２８】
本発明のさらなる利点及び実現可能な適用は、図面に示されている実施態様と共に以下の記載によって開示されている。
【００２９】
本発明は図面に示された実施態様に基づいて凡そ図式的に以下に記載される。
【発明を実施するための最良の形態】
【００３０】
本発明のより良い理解のために、患者の灌流の決定のために従来用いられている手順を先ず簡単に説明する。
【００３１】
図１は患者監視分野で用いられている典型的なユーザー面１０を示している。図面は、とりわけ、ＥＣＧ（心電図記録法）曲線（微分I）１２、さらなるＥＣＧ曲線（微分II）１４、プレチスモグラフィー曲線１６及びＣＯ２呼吸曲線１８のような動的に変化する複数の変化患者データを示している。リアルタイムの曲線１２，１４，１６及び１８の右側には、関連する生理値が数値の形態で表示されている。例えば、プレチスモグラフィー曲線１６の右側には、動脈血の酸素飽和度（ＳＰＯ２値）の現在値が関連するアラーム限界値２２と共に表示されている。
【００３２】
監視されるべき灌流に関しては、従来、変化する曲線の振幅を解析することによって現下の灌流に関する情報を引き出すために、プレスチモグラフィー曲線１６が臨床スタッフによって観測された。
【００３３】
既知のように、プレチスモグラフィー曲線１６は光度計測定プロセス、即ち、所謂パルス酸素測定法によって決定される。
【００３４】
パルス酸素測定法は、血液の動脈血酸素飽和度の非侵襲的な決定のための分光光度分析法である。このために、図２に示されるような測定キャップ２４が用いられる。このキャップは２つの発光ダイオード２６，２８及び受光器３０を含み、監視されるべき患者の指の先端部３２に取り付けられている。組織３４内に延びる動脈３６及び静脈３８と、動脈３６及び静脈３８の間に存在する毛細血管４０とが破線で示されている。発光ダイオード２６及び２８は異なる波長、例えば、６６０ｎｍ及び９５０ｎｍの光を受光器３０に放射する。受光器３０は動脈血容量の変化に起因する光の密度変化を計測し、この情報を電流信号に変換する。電流信号は、とりわけ、プレスチモグラフィー曲線１６をユーザー面１０上に提示する働きをする。光度測定法は周知であるので、簡略化のために、測定方法をこれ以上開示或いは詳述しない。
【００３５】
患者の灌流の変化を直接的に表現するよう、既知のアルゴリズムが、パルス酸素測定法によって継続的に生成される測定値から所謂灌流指数を決定するために用いられる。第一の灌流指数が参照値として定められた後、後続して計算される灌流指数の相対的偏差値が参照値に対して決定される。次に、そのような相対的偏差値が灌流の変化に関する情報として働き、図形要素の形態でユーザー面１０上に提示される。
【００３６】
光学的な妨害又は患者の動作に起因するアーチファクトは灌流指数の計算前に認識され、且つ、アルゴリズムによってフィルタリングされるので、灌流の変化に関して表示される情報が極めて正確であることが確実にされる。
【００３７】
簡略化のために、灌流指数の計算に必要なアルゴリズム及びユーザー面１０への図形要素の提示を以下にこれ以上詳述しない。
【００３８】
図３は、患者監視分野において用いられているさらなるユーザー面１０の一部を示している。プレスチモグラフィー曲線１６及び関連するアラーム限界値２２を伴った現下のＳＰＯ２値２０に加え、灌流の変化に関する情報も表示されている。この情報は２つのバー要素４２，４４によって表示されている。灌流の数値４６はバー要素４２，４４の右側に表示されている。さらに、標識記号４８は、灌流のための対応するアラーム限界値が非活性化されていることを示している。
【００３９】
バー要素４２は参照値を表わしていることで、バー要素４２は一定であるのに対し、バー要素４４は、その長さが可変であることによって、参照値に対する灌流の変化を表わしている。バー要素４４の長さが可変であるという事実は破線５０によって示されている。
【００４０】
灌流の変化は、よって、相違するバーの長さを介して、臨床スタッフによって敏速かつ直感的に読み取られ得る。最適な提示を確実にするために、バー要素４２，４４は測定可能、即ち、バー要素４２の長さは個別に調整可能であり、よって、バー要素４４の長さはそれに対応して変化する。
【００４１】
発信レベル、干渉レベル、アーチファクトレベル、信号波長及び灌流指数のような多様なパラメータの評価によって得られるような信号の質の推定の追加的な表示は、図示されるバー要素４２，４４の対応する色付けによって実現される。例えば、緑色のバー要素が良好な信号の質を示すのに対し、黄色のバー要素が疑わしい信号の質を示し、赤色のバー要素が貧弱な信号の質を示す。
【００４２】
図４は信号の質のさらに可能な表示を示す。図４は、再度、患者監視分野において用いられているようなユーザー面の一部に関する。ユーザー面１０は、再度、プレチスモグラフィー曲線１６、アラーム限界値２２を備えたＳＰＯ２値２０及び灌流の変化を提示するためのバー要素４２，４４を表示し、バー要素は関連する数値４６を備える。信号の質を提示するための図形要素として、３つの円形要素５２が水平方向に相互に隣接して、即ち、灌流の数値４６の下方に配置されている。信号の質は円形要素の対応する色付けによって既知の方法で示されている。即ち、緑色は良好な信号の質、黄色は並みの信号の質、赤色は貧弱な信号の質を示している。
【００４３】
図５はさらなる実施態様を示し、数値情報２０，２２及び４６に加えて、灌流の変化のみが要素４４，５０によって表示されており、よって、プレチスモグラフィー曲線１６の表示のためにより広範なスペースが利用可能である。参照値はさらなる図形要素５４、例えば、矢印の先端又は線によって示されている。
【図面の簡単な説明】
【００４４】
【図１】患者監視分野において従来用いられている表示スクリーンのユーザー面を示す概略図である。
【図２】指の先端部に取り付けられ、２つの発光ダイオード及び受光器を含む計測カップを概略図である。
【図３】灌流の提示のための図形要素を備えたユーザー面の一部を示す概略図である。
【図４】灌流の提示のための図形要素及び信号の質を提示するための独立した図形要素を備えた他の実施態様のユーザー面の一部を示す概略図である。
【図５】灌流の変化の提示のための図形要素を備えた他の実施態様のユーザー面の一部を示す概略図である。
【図１】
2006502781.tif 000003
【図２】
2006502781.tif 000004
【図３】
2006502781.tif 000005
【図４】
2006502781.tif 000006
【図５】
2006502781.tif 000007
【国際調査報告】
2006502781.tif 000008
2006502781.tif 000009
2006502781.tif 000010
2006502781.tif 000011
2006502781.tif 000012